(57)【要約】【課題】バックグラウンド処理に関する情報を提示できる電子機器及び情報の通知方法を提供する。【解決手段】実施形態の電子機器は、選択手段と、保持手段と、提示手段と、を具備する。選択手段は、自機器が実行する複数の処理のうち、自機器からユーザーに対して明示されないバックグラウンド処理を選択する。保持手段は、前記選択手段により選択された前記バックグラウンド処理の内容と、前記バックグラウンド処理の開始時刻及び終了時刻と、を保持する。提示手段は、前記保持手段が保持する前記バックグラウンド処理の内容、開始時刻及び終了時刻を、要求に応じて、提示又は外部機器に送信する。【選択図】図１
2015122550.tif 000002
【特許請求の範囲】
【請求項１】
自機器が実行する複数の処理のうち、自機器からユーザーに対して明示されないバックグラウンド処理を選択する選択手段と、
前記選択手段により選択された前記バックグラウンド処理の内容と、前記バックグラウンド処理の開始時刻及び終了時刻と、を保持する保持手段と、
前記保持手段が保持する前記バックグラウンド処理の内容、開始時刻及び終了時刻を、要求に応じて、提示又は外部機器に送信する提示手段と、
を具備する電子機器。
【請求項２】
前記選択手段は、前記複数の処理のうち自機器からユーザーに対して明示される処理を選択しない、請求項１の電子機器。
【請求項３】
前記バックグラウンド処理は、前記ユーザーに明示される処理のバックグラウンドで実行される、または前記電子機器の主電源がオフされている状態においてバックグラウンドで実行される請求項１又は２の電子機器。
【請求項４】
前記バックグラウンド処理は、ＥＰＧ取得、ファームウェアアップデート、霜取り、結露融解、の少なくともいずれかである、請求項１−３のいずれかの電子機器。
【請求項５】
要求元による要求がない場合、前記保持手段が保持する前記バックグラウンド処理の内容、開始時刻及び終了時刻を、非保存とする管理手段をさらに具備する請求項１−３のいずれかの電子機器。
【請求項６】
複数の処理のうち、自機器からユーザーに対して明示されないバックグラウンド処理について、バックグラウンド処理の内容と、バックグラウンド処理の開始時刻及び終了時刻と、を保持し、
バックグラウンド処理の内容、開始時刻及び終了時刻を、要求に応じて、提示又は外部機器に送信する
情報通知方法。
【発明の詳細な説明】
【技術分野】
【０００１】
この発明は、電子機器及び情報の通知方法に関する。
【背景技術】
【０００２】
冷蔵庫や洗濯機、照明機器等の生活関連家庭用電気機器（以下、生活家電機器とする）とテレビジョン受信装置やレコーダと接続したモニタ装置等の映像を表示可能な電子機器との間のインタフェース規格としてＥＣＨＯＮＥＴＬｉｔｅ（Energy Conservation and Homecare Network、以下、ＥＣＨＯＮＥＴ  ＣＯＮＳＯＲＴＩＵＭという、が制定するＥＣＨＯＮＥＴプロトコル）の運用が開始され、対応する機器が入手可能である。
【０００３】
ＥＣＨＯＮＥＴＬｉｔｅをサポートする電子機器は、ＥＣＨＯＮＥＴＬｉｔｅをサポートする他の機器に自機器の消費電力やステータス等の情報を通知することができる。この仕組みを用いれば、電子機器の消費電力を他の端末装置から任意のタイミングでモニタすることができる。また、ＥＣＨＯＮＥＴＬｉｔｅ以外の規格を用いて電子機器の消費電力をモニタすることも可能である。
【先行技術文献】
【特許文献】
【０００４】
【特許文献１】特開２００７−２５１３６９号公報
【発明の概要】
【発明が解決しようとする課題】
【０００５】
しかしながら、例えばテレビジョ装置の消費電力等を携帯可能な端末装置からモニタした場合に、テレビジョン受信装置が動作していない時間帯であるにもかかわらず、消費電力の一時的な増加が検出される場合がある。同様に、生活家電機器においても、ユーザーが意図しないタイミング、例えば冷蔵庫の霜取り工程の起動等において、消費電力の一時的な増加が検出される場合がある。
【０００６】
しかし、ユーザーは電子機器のバックグラウンドでの処理を認識していないため、電子機器の消費電力をモニタした場合に、該電子機器が何らかのバックグラウンド処理を実行していると、ユーザーは該バックグラウンド処理を認識していないため、ユーザーの想定よりも大きな消費電力が検出される恐れがある。
【０００７】
この発明の目的は、電子機器のバックグラウンド処理に関する情報を提示できる電子機器及び情報の通知方法を提供することである。
【課題を解決するための手段】
【０００８】
実施形態の電子機器は、選択手段と、保持手段と、提示手段と、を具備する。選択手段は、自機器が実行する複数の処理のうち、自機器からユーザーに対して明示されないバックグラウンド処理を選択する。保持手段は、前記選択手段により選択された前記バックグラウンド処理の内容と、前記バックグラウンド処理の開始時刻及び終了時刻と、を保持する。提示手段は、前記保持手段が保持する前記バックグラウンド処理の内容、開始時刻及び終了時刻を、要求に応じて、提示又は外部機器に送信する。
【図面の簡単な説明】
【０００９】
【図１】実施形態に係る映像表示装置（電子機器）と周辺の機器（携帯可能な端末装置）との間の信号の受け渡しの一例を示す。
【図２】実施形態に係る映像表示装置が保持するイベントデータの一例を示す。
【図３Ａ】実施形態に係る映像表示装置と携帯可能な端末装置との間の情報の受け渡しの一例をソフトウェア的に示す。
【図３Ｂ】実施形態に係る映像表示装置の情報の通知（提示）方法の一例をソフトウェア的に示す。
【図４】実施形態に係る映像表示装置（テレビジョン受信装置）の一例を示す。
【図５】実施形態に係る携帯可能な端末装置（タブレット装置）の一例を示す。
【発明を実施するための形態】
【００１０】
以下、図面を参照して、本発明の実施の一形態について説明する。
【００１１】
図１は、実施形態に係わる映像表示装置（電子機器）及びネットワークを介して情報の受け渡しが可能な周辺の機器の一例を示す。なお、以下に説明する要素や構成は、マイクロコンピュータ（処理装置、ＣＰＵ（Central Processing Unit））によりソフトウェアで実現するものであってもよいし、ハードウェアで実現するものであってもよい。
【００１２】
図１が示す映像表示装置（電子機器）１０１は、例えば放送信号や、外部から入力する映像コンテンツを再生する放送受信装置（テレビジョン放送受信装置）である。
【００１３】
映像表示装置１０１は、主制御ブロック１０２、イベント管理部１０３、イベント処理部１０４、消費電力管理部１０５、イベントリスト管理部１０６、イベントリスト提示部１０７、ネットワークインターフェース１０８、エコネットライト（EchonetLite）処理部１０９及び近距離無線通信通信部１１０、等を含む。
【００１４】
映像表示装置１０１は、ネットワークインターフェース１０８を通じて、ネットワーク上に位置するネットワークルータ１１と接続する。
【００１５】
ネットワークルータ１１は、例えばタブレット装置である携帯可能な端末装置１との間の情報の受け渡しが可能で、これにより、映像表示装置１０１とタブレット装置（携帯可能な端末装置）１との間で、エコネットライト（EchonetLite）規格に準拠した情報の受け渡しが可能となる。
【００１６】
図１が示す映像表示装置１０１においては、ネットワークインターフェース１０８を介してエコネットライト処理部１０９が、タブレット装置１からの、例えば消費電力値の取得の指示を受けつけ、イベント管理部１０３において、消費電力管理部１０５から現在の消費電力値（消費電力データ）を取得し、ネットワークインターフェース１０８を介してタブレット装置１に返信する。消費電力管理部１０５は、イベント管理部１０３からの問い合わせを受けつけ、現在の消費電力値（消費電力データ）を返信する。
【００１７】
なお、ここでは、映像表示装置（テレビジョン放送受信装置）１０１が消費電力を取得される側、タブレット装置１が消費電力を取得する側として示しているが、逆であっても良いし、お互いがお互いの消費電力を取得しあう構成であっても良い。
【００１８】
イベント処理部１０４は、ユーザーによる設定値の変更やメインシステム（主制御ブロック）１０２からの指示に従ってバックグラウンドで実行する裏処理、例えば映像表示装置（テレビジョン放送受信装置）１０１による映像の表示や録画を実行していない（リモコン端末において電源をオフしている）主電源オフ状態において、ＥＰＧ（電子番組表）情報の取得（更新）や、内蔵するファームウェア（プログラム）の更新（アップデート）等を実行する。また、主電源オン状態において、該処理が動作中である旨を示す映像が表示されない処理も裏処理と定義してよい。例えば、ＥＰＧ取得処理やファームウェアアップデート処理等の裏処理は、通常の番組映像の表示中に、これら裏処理が稼働中の旨が表示画面に表示されない。即ち裏処理は、対象機器からユーザーに対して、動作中である旨が明示されない処理である。また、裏処理は、同時に２以上実行される場合もある。イベント処理部１０４は、裏処理を開始した時刻と終了した時刻をイベント管理部１０３へ通知する。
【００１９】
なお、裏処理は、裏処理のみが実行される場合（上述）と、例えば受信した映像の表示（再生）、等である表処理と同時に実行される場合と、がある。ここで、表処理については、裏処理の実行の有無にかかわりなく、イベントとしては記録をしない（表処理については、ユーザーがその実行に疑問を持つことがない、と考えることが妥当である）。
【００２０】
すなわち、裏処理が実行された場合に、例えば消費電力が増大する、等のユーザーの疑問が生じることのある要素（動作）、例えばＥＰＧ情報の取得や、バージョンアップのためのデータ収集、メンテナンスのための再起動、等のユーザーが電源を切っているつもりでも実行される処理の実行時に、エコネットライトを経由した情報の取得があった場合には、その日時と、処理（裏処理）内容をユーザーが参照可能に、イベントとして記録しておく。これにより、例えば消費電力の増大に対してユーザーが疑問を持った場合に、ユーザーがイベントを参照することで、疑問の解消に役立つ。なお、同時に２以上の裏処理を実行した場合は、いずれについても、イベントとして記録しておくものとする。
【００２１】
このように、映像表示装置１０１が実行する複数の処理のうち、表処理はイベントとして記録せず、裏処理のイベントを、イベント内容、時刻、消費電力と対応付けて記録することにより、ユーザーーが既に認識している表処理に関する情報、即ちユーザーにとって特に必要のない情報の記録を省略できる。
【００２２】
イベントリスト管理部１０６は、他機器（タブレット装置１）から消費電力値の取得の要求があった時点に行っていた裏処理の内容を、リスト化して記録する。
【００２３】
イベントリスト提示部１０７は、イベントリスト管理部１０６に記録されている情報をユーザーに提示する。なお、図２にイベントリスト提示部１０７が保持するリストの一例を示すが、終了日時が「−」の場合は、『現在も継続中である』と提示する。
【００２４】
イベント管理部１０３は、より詳細には、イベント処理部１０４からのイベント開始の通知を元に、開始日時と裏処理内容を、メモリ上に記録する。
【００２５】
また、イベント管理部１０３は、エコネットライト処理部１０９からの問い合わせに応じ、例えば消費電力管理部１０５から消費電力値を取得し、エコネットライト処理部１０９へ渡す。同時に、現在処理中の裏処理があるかを、メモリ上で確認し、裏処理がある場合には、イベントリスト管理部１０６に記録する。この時、終了日時は「−」とする。このとき、イベントリスト管理部１０６へ記録したことを表すフラグ（現在イベント登録フラグ）を立てる。
【００２６】
イベント管理部１０３は、イベント処理部１０４からのイベント終了の通知があった場合、現在イベント登録フラグの有無を確認し、フラグが立っている場合には、イベントリスト管理部１０６に登録されているイベントのうち、該当するイベントを、開始日時と裏処理内容を元に検索し、終了日時部分を「−」から実際の終了時間に更新する。なお、現在イベント登録フラグがない場合、その裏処理のイベントの情報は、破棄する。
【００２７】
また、裏処理は、システム上必須のものと、設定によりオン（ＯＮ）／オフ（ＯＦＦ）を切り替えられるものがある。すなわち、必須ではない裏処理については、例えば裏処理内容の表示時（ユーザーによる参照時）に、その裏処理を設定している項目（設定内容）を提示する。これにより、ユーザーの判断で、その裏処理については中止することもできる。この場合、消費電力を抑えることが可能である。なお、必須ではない裏処理としては、例えばバージョンアップを自動的に行うためのデータ収集や、ＥＰＧ情報の規定回数を超える取得、ネットワークを通じた録画予約のための規定回数を超える予約メールの読み込み（メールの着信の有無の確認）、等を揚げることができる。
【００２８】
すなわち、イベント管理部１０３は、裏処理をしている最中にエコネットライトを経由して、情報、例えば消費電力値の取得があった場合、その日時と裏処理内容をイベントとして記録しておく。
【００２９】
また、イベントは、イベントリスト管理部１０６に保持させることで、後からユーザーが確認できる。なお、イベントの確認は、情報の取得があった（情報を取得された）機器自体でもよいし、別の機器から取得できるよう、例えばネットワーク上の所定の領域（記録サーバ）に記録してもよい。また、要求した機器に対して提示することも可能である。
【００３０】
なお、裏処理をしている間にエコネットライトを経由した情報の取得がない場合、その裏処理については、イベントとして記録しない。
【００３１】
以上により、例えばユーザーがエコネットライトを経由して消費電力を確認し、消費電力の増加に疑問に思った時には、イベントの確認動作により、イベントリスト提示部１０７からその理由を提示できる。
【００３２】
なお、映像表示装置１０１とタブレット装置１との間で受け渡しする情報（イベント）が消費電力情報の取得以外のイベント、例えば映像表示装置１０１の機器名を取得したり、電源をオン（起動）、オフ（停止）する、等が可能である。
【００３３】
なお、図１ではイベントリストを、映像表示装置１０１自身が表示する例を示したが、映像表示装置１０１は、イベントリストをネットワーク経由等で、例えば消費電力値の取得を要求した（消費電力値を取得した）別機器に提供するのみであってもよい。また、別機器は、例えばサーバのような他の機器から閲覧可能な機器であってもよい。
【００３４】
図２に、処理（裏処理）中に消費電力値の取得要求があり、消費電力値が取得される裏処理のイベントのリストの一例を示す。
【００３５】
図２において、１、２エントリ目（イベントＮＯ．１，２）は、すでに終了しているイベントを示し、３エントリ目（イベントＮＯ．３）は、現在継続中のイベントを示す。
【００３６】
図３Ａ及び図３Ｂは、イベント管理部の動作をソフトウェア的に示す。なお図３Ａ及び図３Ｂの処理は、どちらも任意のタイミングで実行される。
【００３７】
図３Ａは、主としてエコネットライト処理部を介した問い合わせの受け付け、及びその応答について示す。
【００３８】
イベント管理部１０３は、例えばタブレット装置１から、エコネットライトに準拠した情報の取得要求（イベント）があった場合［１１−ＹＥＳ］、取得要求の有った情報、例えば消費電力の情報を取得し［１２］、取得した情報を（タブレット装置１に）送信する［１３］。なお、取得した情報のタブレット装置１への送信に代えて、タブレット装置等の外部機器による情報の取得（読み出し）が可能に、予め決められた所定の記録領域に、提示してもよい。また、外部機器による情報の取得（読み出し）が可能に、例えばサービスサーバーに提供するものであってもよい。
【００３９】
また、イベント（情報の取得要求）に基づいて情報を取得した（登録した）ことを示す「現在イベント登録フラグ」をたてる［１４］。そして図３Ａの処理は［１１］に戻り、ループする。
【００４０】
図３Ｂは、主としてイベント処理部との間の処理の一例を示す。
【００４１】
イベント管理部１０３は、イベント処理部１０４から「裏処理」開始の通知があった場合［２１−ＹＥＳ］、「裏処理」の内容をメモリに記憶する［２２］。
【００４２】
以下、「裏処理」の終了の通知を待ち、「裏処理」終了の通知があった場合［２３−ＹＥＳ］、「現在イベント登録フラグ」の有無を参照（確認）する［２４］。
【００４３】
「現在イベント登録フラグ」が有る（フラグがたっている）場合［２４−ＹＥＳ］、メモリ上にある「裏処理」の内容等に終了時間を付加し、イベントリスト管理部に記録する［２５］。また、イベントリスト中の「現在イベント登録フラグ」を落とす（フラグを元に戻す）［２６］。
【００４４】
「現在イベント登録フラグ」がない（フラグがたっていない）場合［２４−ＮＯ］、メモリが保持する（メモリ上にある）「裏処理」の内容等を消去（破棄）する［２６］。
【００４５】
図３Ｂの処理は、［２６］及び［２７］の後、最初の［２１］に戻り、ループする。
【００４６】
図４に、図１に示した表示装置に利用可能なテレビジョン装置（映像表示装置）１０１の要素の一例を示す。
【００４７】
映像表示装置１０１は、制御部（主制御ブロック）１０２、入力部１１１、復調部１１２、信号処理部１１３、音声処理部１２１、映像処理部１３１、ＯＳＤ処理部１３２、表示処理部１３３、ストレージ１６０、操作入力部１６１、受信部１６２、ネットワークコントローラ１７１、及び近距離無線通信処理部１９０、等を備える。映像表示装置１０１は、スピーカ１２２及びディスプレイ１３４を備える。なお、近距離無線通信処理部１９０には、近距離無線通信通信部１９１及び通知・時刻保持部１９２（イベント管理部１０３、イベント処理部１０４、イベントリスト管理部１０６、イベントリスト提示部１０７、エコネットライト処理部１０９）が接続する。また、近距離無線通信処理部１９０は、例えばＷｉ−Ｆｉダイレクト、あるいはＢｌｕｅｔｏｏｔｈ（登録商標）規格に準拠する通信ユニット／通信制御部である。
【００４８】
映像表示装置１０１は、例えばリモートコントローラ１６３からの制御入力（操作指示）を受けつけ、操作指示（制御入力）に対応する制御コマンドを制御部１０２に供給する。例えば、電源ボタンがオンされることで、スタンバイ（待機／主電源オフ）状態から動作状態へ遷移し、電源ボタンがもう一度オンされることで、動作状態からスタンバイ状態へ遷移する。
【００４９】
入力部１１１は、例えばアンテナＡＮＴを通じて受信可能なデジタル放送信号、例えば地上波放送信号、ＢＳ（Broadcasting Satellite）放送信号、及び／またはＣＳ（Communication Satellite）放送信号を受信することができる。入力部１１１はまた、例えばＳＴＢ（Set Top Box、例えば有料放送等に対応する外部チューナ、あるいはケーブル配信局が配信する放送を選局可能なチャンネルセレクタ）等を経由し、もしくは直接入力として供給されるコンテンツ（外部入力）を受け取ることができる。
【００５０】
入力部１１１は、受け取ったデジタル放送信号のチューニング（選局）を行う。入力部１１１は、チューニングしたデジタル放送信号を復調部１１２に供給する。なお、映像表示装置１０１は、複数の入力部（チューナ）１１１を備えていてもよい。その場合、映像表示装置１０１は、複数のデジタル放送信号／コンテンツを同時に受信することができる。なお、入力部１１１は、ＳＴＢ等を経由する外部入力については、そのまま、復調部１１２へ供給する。
【００５１】
復調部１１２は、選局されたデジタル放送信号／コンテンツを復調する。すなわち、復調部１１２は、デジタル放送信号／コンテンツからトランスポートストリーム（ＴＳ、Transport Stream）等の動画データ（以下ストリームと称する）を取得する。復調部１１２は、取得したストリームを信号処理部１１３に入力する。なお、映像表示装置１０１は、複数の復調部１１２を備えていてもよい。複数の復調部１１２は、複数のデジタル放送信号／コンテンツのそれぞれを、復調することができる。
【００５２】
信号処理部１１３は、復調部１１２が復調したストリームを、例えば音声成分と映像成分、及び文字情報やＥＰＧ向けのデータ成分に、分離する。すなわち、信号処理部１１３は、ストリームをデジタル映像信号、デジタル音声信号、及びその他のデータ信号、例えば上述のＥＰＧ向け成分の他に、データ放送と称する文字や符号からなるテキストデータ等を分離する。なお、信号処理部１１３は、複数の復調部１１２により復調された複数のストリームを分離することができる。
【００５３】
信号処理部１１３はまた、分離したデジタル音声信号を音声処理部１２１に供給する。信号処理部１１３はさらに、分離したデジタル映像信号を映像処理部１３１に供給する。また、信号処理部１１３は、制御部１０２に、ＥＰＧ（向け）データなどのデータ信号を供給する。
【００５４】
なお、信号処理部１１３は、制御部１０２の制御に基づいて、上記のストリームを録画可能な状態のデータ（録画ストリーム）に変換することができる。信号処理部１１３は、さらに、制御部１０２の制御に基づいて、録画ストリームをストレージ１６０または他のモジュールに供給することができる。
【００５５】
またさらに、信号処理部１１３は、ストリームのビットレートを、オリジナル（放送信号／コンテンツ）で設定されているビットレートから他のビットレートに変換（トランスコード）することができる。すなわち、信号処理部１１３は、取得した放送信号／コンテンツのオリジナルのビットレートを、オリジナルに比較して低いビットレートにトランスコード（変換）することができる。これにより、信号処理部１１３は、より容量の少ない状態でコンテンツ（番組）を録画させることができる。
【００５６】
音声処理部１２１は、信号処理部１１３から受信したデジタル音声信号を、スピーカ１２２により再生可能なフォーマットの信号（オーディオ信号）に変換する。すなわち、音声処理部１２１は、Ｄ／Ａ（Digital to Analog）変換部を含み、デジタル音声信号をアナログオーディオ（音響）／音声信号に変換する。音声処理部１２１は、変換したオーディオ（音響）／音声信号をスピーカ１２２に供給する。スピーカ１２２は、供給されるオーディオ（音響）／音声信号から、音声及び音響音を再生する。
【００５７】
映像処理部１３１は、信号処理部１１３からのデジタル映像信号を、ディスプレイ１３４で再生可能なフォーマットの映像信号に変換する。すなわち、映像処理部１３１は、信号処理部１１３から受信したデジタル映像信号を、ディスプレイ１３４で再生可能なフォーマットの映像信号にデコードする。映像処理部１３１は、デコードした映像信号を表示処理部１３３に出力する。
【００５８】
ＯＳＤ処理部１３２は、信号処理部１１３から供給されるデータ信号及びまたは制御部１０２から供給される制御信号（制御コマンド）に基づいて、例えばＧＵＩ（Graphical User Interface）表示、字幕表示、時刻表示、タブレット装置１へのＳＮＳの着信の有無（非表示）、もしくは再生中の映像及びオーディオへの音声通信またはそれに準じる通信データの着信、の報知情報等を、映像処理部１３１からの表示信号に重畳して表示するためのＯＳＤ（On Screen Display）信号を生成する。
【００５９】
表示処理部１３３は、例えば制御部１０２からの制御に基づいて、受信した映像信号に、例えば色味、明るさ、シャープ、コントラスト及びその他の画質調整処理を行う。表示処理部１３３は、画質調整を施した映像信号をディスプレイ１３４に供給する。従い、ディスプレイ１３４は、供給される映像信号に基づいて映像を表示する。
【００６０】
表示処理部１３３はまた、画質調整処理後の上述の映像処理部１３１からの表示信号とＯＳＤ処理部１３２からのＯＳＤ信号とを重畳し、ディスプレイ１３４に供給する。
【００６１】
ディスプレイ１３４は、例えばマトリクス状に配列された複数の画素を備える液晶表示パネルと、この液晶パネルを照明するバックライトとを備える液晶表示装置、等を含む。ディスプレイ１３４は、表示処理部１３３から供給される映像信号に基づいて映像を表示する。
【００６２】
なお、映像表示装置１０１は、ディスプレイ１３４の代わりに、映像信号を出力する出力端子を備える構成であってもよい。また、映像表示装置１０１は、スピーカ１２２の代わりに、オーディオ信号を出力する出力端子を備える構成であってもよい。また、映像表示装置１０１は、デジタル映像信号とデジタル音声信号とを出力する出力端子を備える構成であってもよい。
【００６３】
制御部１０２は、映像表示装置１０１の各部の動作を制御する。制御部１０２は、ＣＰＵ（Central Processing Unit）１５１、ＲＯＭ（読み出し専用メモリ）１５２、ＲＡＭ（Random Access Memory）１５３、及びＥＥＰＲＯＭ（不揮発性メモリ）１５４、等を含む。制御部１０２はまた、操作入力部１６１から供給される操作信号に基づいて、種々の処理を行う。制御部１０２はまた、ＥＣＨＯＮＥＴＬｉｔｅに対応する生活家電機器から所定の通知を受け取った時点の時刻情報（上述の時計機能または時間）と通知を表示可能となった時点の時刻情報とにより、経過時間を求める（算出する）ことができる。なお、経過時間の算出は、以下に説明するＣＰＵ１５１のファームウェアであってもよい。
【００６４】
ＣＰＵ１５１は、種々の演算処理を実行する演算素子などを備える。ＣＰＵ１５１は、ＲＯＭ１５２、またはＥＥＰＲＯＭ１５４等が保持するプログラムを実行することにより種々の機能を実現する。なお、ＣＰＵ１５１は、上述した経過時間の算出を受け持つ場合もある。
【００６５】
ＲＯＭ１５２は、映像表示装置１０１を制御するためのプログラム、及び各種の機能を実現するためのプログラムなどを保持する。ＣＰＵ１５１は、操作入力部１６１から供給される操作信号に基づいて、ＲＯＭ１５２に記憶されているプログラムを起動する。これにより、制御部１０２は、各部の動作を制御する。
【００６６】
ＲＡＭ１５３は、ＣＰＵ１５１のワークメモリとして機能する。すなわち、ＲＡＭ１５３は、ＣＰＵ１５１の演算結果やＣＰＵ１５１により読み込まれたデータ等を記憶する。
【００６７】
ＥＥＰＲＯＭ１５４は、各種の設定情報及びプログラム等を記憶する不揮発性メモリである。なお、必要に応じて（制御部１０２の制御に従い）近距離無線通信処理部１９０が認証したクライアント機器の情報を保持する。
【００６８】
ストレージ１６０は、コンテンツを記憶する記憶媒体を有する。ストレージ１６０は、例えばハードディスクドライブ（ＨＤＤ）、ＳＳＤ（Solid State Drive）、もしくは半導体メモリなどである。ストレージ１６０は、信号処理部１１３からの供給された録画ストリームやテキストデータなどを記憶することができる。
【００６９】
操作入力部１６１は、例えばユーザーによる操作入力に対応して操作信号を生成する操作キーを含む。また、操作入力部１６１は、キーボード、マウス、または操作信号を生成することができる他の入力装置などから操作信号を受け取る構成であってもよい。操作入力部１６１は、操作信号を制御部１０２に供給する。
【００７０】
なお、映像表示装置１０１のディスプレイ１３４は、操作入力部１６１の一部の機能を実現可能なタッチパネル機能を備える構成であってもよい。
【００７１】
受信部１６２は、例えば赤外線（Ｉｒ）方式により供給されるリモートコントローラ１６３からの操作信号を受信するセンサ等を備える。受信部１６２は、受信した信号を制御部１０２に供給する。制御部１０２は、受信部１６２から供給された信号を受信し、受信した信号を増幅したのちＡ／Ｄ（Analog to Digital）変換を行うことにより、リモコン１６３から送信された元の操作信号を復号する。
【００７２】
リモートコントローラ１６３は、ユーザーの操作入力に基づいて操作信号を生成する。リモートコントローラ１６３は、生成した操作信号を赤外線通信により受信部１６２に送信する。なお、受信部１６２及びリモートコントローラ１６３は、電波（ＲＦ）、等の他の無線通信により操作信号の送受信を行う構成であってもよい。
【００７３】
ネットワークコントローラ１７１は、例えばネットワーク（インターネット）１と接続し、ネットワーク上の他の機器と通信を行なうことができる。これにより、映像表示装置１０１は、ネットワークを経由して接続可能な任意の機器及びコンテンツ供給元あるいは種々のデータサーバとの間の情報の受け渡しが可能である。これにより、映像表示装置１０１は、ネットワークコントローラ１７１を経由して接続するコンテンツ供給元やデータサーバ、もしくは家庭内を含む任意の機器が保持するコンテンツ（ストリーム）を取得し、再生することができる。なお、ネットワークコントローラ１７１が接続するコンテンツ供給元は、例えばＶＯＤコンテンツ等の映像表示装置１０１の表示能力に制限を与える（生活家電装置からの通知を表示できない）リソース負荷が大きな場合がある。
【００７４】
ＨＤＭＩ処理部１８１は、ＨＤＭＩ（登録商標）規格（すなわちＨＤＭＩ(High Definition Multimedia Interface)）に従い、制御信号及び映像（Video）データと音声（音響／Audio）データの受け渡しを行う。ＨＤＭＩ処理部１８１は、ＨＤＭＩ端子を備える外部機器または大容量メモリ（外付けＨＤＤ）等との間で、映像及び音声を含むコンテンツ（ストリーム）の送信と受信が可能である。外部機器としては、例えばブルーレイ（登録商標）レコーダ、ＤＶＤ（Digital Versatile Disk）レコーダ、ハードディスク（ＨＤＤ）レコーダ、または他の機器とＨＤＭＩ規格に対応した機器（ＨＤＭＩ機器）、あるいはＮＡＳ（Network Attached Storage）等、がある。なお、映像表示装置１０１は、例えばＳｅｒｉａｌ−ＡＴＡ（Serial-Advanced Technology Attachment）やＨＤＭＩ−ＨＥＣ（HDMI Ethernet Channel）との接続が可能なＬＡＮ端子、等の他のインタフェースを備えることができる。
【００７５】
近距離無線通信処理部１９０（図１における通信部１１０）は、例えばブルートゥース（登録商標）等の規格に準拠する近距離無線通信通信部１９１を介して通信可能な機器との間のデータの受け渡しや相手方機器との間の相互認証処理等を受け持つ。なお、認証した相手方機器から取得する情報や、開始時刻、終了時刻は、例えば通知・時刻保持部１９２もしくはＥＥＰＲＯＭ１５４が記憶する。なお、近距離無線通信通信部１９１及び近距離無線通信処理部１９０は、図４では、ネットワークコントローラ１７１と独立に設けた例を示しているが、ネットワークコントローラ１７１と一体（もしくは一部が共用されるよう）に形成されてもよい。また、ネットワークコントローラ１７１と近距離無線通信通信部１９１及び近距離無線通信処理部１９０を一体とした場合は、通知・時刻保持部１９２は、ネットワークコントローラ１７１に接続する。
【００７６】
図５に、図１に示したタブレット装置１に利用可能な携帯端末装置の要素の一例を示す。
【００７７】
タブレット装置１は、制御部２５０、操作入力部２６４、通信部２７１、近距離無線通信処理部２７３及び記憶装置２７４を備える。なお、近距離無線通信処理部２７３は、例えばＷｉ−Ｆｉダイレクト、あるいはＢｌｕｅｔｏｏｔｈ規格に準拠する通信ユニット／通信制御部である。
【００７８】
タブレット装置１はまた、スピーカ２２２、マイク２２３、ディスプレイ２３４、（ディスプレイ２３４と一体の）タッチセンサ２３５を備える。
【００７９】
制御部２５０は、タブレット装置１の各部の動作を制御する。制御部２５０は、ＣＰＵ２５１、ＲＯＭ２５２、ＲＡＭ２５３、及び不揮発性メモリ２５４等を含む。
【００８０】
制御部２５０は、操作入力部２６４、またはタッチセンサ２３５から供給される操作信号に基づいて種々の処理を行う。制御部２５０はまた、近距離無線通信処理部２７３を通じて生活家電機器２１、３１、４１及び５１等から通知される通知をディスプレイ２３４に表示させる。なお、タブレット装置１がネットワークと接続し、コンテンツをダウンロード中である場合には、近距離無線通信処理部２７３を通じて取得する上述の通知は、表示されない（ダウンロード等のリソース負荷が大きい場合は、上述の通知は、ダウンロード終了後、となる）。
【００８１】
また、ＣＰＵ２５１は、種々の演算処理を実行する。ＣＰＵ２５１はまた、ＲＯＭ２５２、あるいは不揮発性メモリ２５４、等が保持するプログラムを実行することにより種々の機能を実現する。
【００８２】
ＲＯＭ２５２は、映像表示装置１０１を制御するためのプログラム、及び各種の機能を実現するためのプログラム等を保持する。ＣＰＵ２５１は、操作入力部２６４からの操作信号に基づいて、ＲＯＭ２５２に記憶されているプログラムを起動する。これにより、制御部２５０は、各部の動作を制御する。
【００８３】
ＲＡＭ２５３は、ＣＰＵ２５１のワークメモリとして機能する。すなわち、ＲＡＭ２５３は、ＣＰＵ２５１による演算結果、ＣＰＵ２５１を介して読み込まれたデータ、近距離無線通信処理部２７３による生活家電機器２１、３１、４１及び５１等の機器との間の認証に必要なデータ、等を記憶する。
【００８４】
不揮発性メモリ２５４は、各種の設定情報、プログラム、近距離無線通信処理部２７３による個々の生活家電機器との間の認証結果、等を記憶する。
【００８５】
また、制御部２５０は、ＣＰＵ２５１が実行しているアプリケーションに応じて、種々の画面表示を表示するための表示用の映像信号を生成し、ディスプレイ２３４に表示させることができる。従い、ディスプレイ２３４は、供給される動画信号（Video）に基づいて、動画（グラフィック）や静止画もしくは文字情報、等を再生する。制御部２５０はまた、ＣＰＵ２５１が実行しているアプリケーションに応じて、種々の音声などの再生用の音声信号を生成し、スピーカ２２２により出力させることができる。従い、スピーカ２２２は、供給されるオーディオ信号（Audio）に基づいて音（音響／音声）を再生する。
【００８６】
マイク２２３は、タブレット装置１の周囲の音を集音し、音響信号を生成する。音響信号は、Ａ／Ｄ変換後、制御部２５０により音響データに変換され、ＲＡＭ２５３において一時的に保持される。音響データは、必要に応じ、Ｄ／Ａ変換後、スピーカ２２２により音声／音響音に変換される（再生される）。音響データはまた、Ａ／Ｄ変換後、音声認識処理により制御コマンドとして、利用される。
【００８７】
ディスプレイ２３４は、例えばマトリクス状に配列された複数の画素を備える液晶表示パネルと、この液晶パネルを照明するバックライトとを備える液晶表示装置等を含む。
【００８８】
タッチセンサ２３５は、ディスプレイ２３４に表示されている画面上での操作（画面表示に対応するユーザー入力）に基づいて操作信号を生成し、制御部２５０に供給する。
【００８９】
操作入力部２６４は、例えばユーザーによる操作入力に応じて操作信号を生成するキーを備える。操作入力部２６４は、例えば音量を調整するための音量調整キー、ディスプレイ２３４の表示輝度を調整するための輝度調整キー、及びタブレット装置１の電源状態を切り替える（オン／オフする）ための電源キー等を備える。操作入力部２６４はまた、キーボード、マウスまたは操作信号を生成する事ができる他の入力装置などから操作信号を受け取る構成であってもよい。例えば、タブレット装置１がＵＳＢ端子やＢｌｕｅｔｏｏｔｈ規格に対応するモジュールなどを備えている場合、操作入力部２６４は、ＵＳＢまたはＢｌｕｅｔｏｏｔｈにより接続された入力装置から操作信号を受け取り、制御部２５０に供給する。
【００９０】
通信部２７１は、ＬＡＮまたは無線ＬＡＮにより、ネットワーク上の他の機器と通信を行なうことができる。これにより、タブレット装置１は、ネットワークを経由して接続するコンテンツ供給元やデータサーバ、もしくは家庭内を含む任意の機器が保持するコンテンツ（ストリーム）を取得し、再生することができる。
【００９１】
近距離無線通信処理部２７３は、個々の生活家電機器２１、３１、４１及び５１の間のデータの受け渡しやデータの処理を受け持つ。すなわち、タブレット装置１は、近距離無線通信処理部２７３による個々の生活家電機器２１、３１、４１及び５１との間の通信により、生活家電機器（ＥＣＨＯＮＥＴＬｉｔｅ対応機器））から受け取った通知を、ディスプレイ２３４に表示することができる。
【００９２】
記憶装置２７４は、ハードディスクドライブ（ＨＤＤ）、ソリッドステートドライブ（ＳＳＤ）、または半導体メモリ等を含む。記憶装置２７４は、制御部２５０のＣＰＵ２５１により実行されるプログラム、アプリケーション、動画などのコンテンツ、及び種々のデータなどを記憶することができる。
【００９３】
電源部２９０は、バッテリ（充電池）２９２と、商用電源などから電力を受け取るアダプタと接続するための端子（例えばＤＣジャック）と、を備える。電源部２９０は、商用電源から受け取った電力によりバッテリ２９２を充電する。また、電源部２９０は、バッテリ２９２に充電されている電力をタブレット装置１の各部へ供給する。
【００９４】
このように、実施形態を適用する映像表示装置においては、例えばユーザーがエコネットライトを経由して消費電力を確認し、消費電力の増加に疑問に思った時には、イベントの確認動作により、イベントリスト提示部からその理由を提示できる。
【００９５】
また、裏処理をしている間にエコネットライトを経由した情報の取得がない場合、その裏処理について、イベントとして記録しない（記録した場合には破棄する）ので、ユーザーが、不所望な疑問や不信感をおぼえることもない。
【００９６】
なお上記の実施形態においては、映像表示装置（テレビジョン放送受信装置）１０１が裏処理を実行してその裏処理を記録する処理を中心に説明しているが、これらの処理は、エアコンや冷蔵庫が実行しても良い。すなわち、エアコンが結露溶融（解凍）処理等の裏処理を実行してその裏処理および消費電力を記録しても良いし、冷蔵庫が霜取り等の裏処理を実行して処理内容と消費電力を記録しても良い。その後の処理は上記の実施形態における映像表示装置（テレビジョン放送受信装置）１０１の処理と同様である。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１…タブレット装置（携帯可能な端末装置）、１１…ネットワークルータ、１０１…映像表示装置（電子機器）、１０２…主制御ブロック、１０３…イベント管理部、１０４…イベント処理部、１０５…消費電力管理部、１０６…イベントリスト管理部、１０７…イベントリスト提示部、１０８…ネットワークインターフェース、１０９…エコネットライト（EchonetLite）処理部、１１０…近距離無線通信通信部。
【図１】
2015122550.tif 000003
【図２】
2015122550.tif 000004
【図３Ａ】
2015122550.tif 000005
【図３Ｂ】
2015122550.tif 000006
【図４】
2015122550.tif 000007
【図５】
2015122550.tif 000008